(57)【要約】【課題】複数の照明器具のアドレスを適切にまた容易に設定する。【解決手段】コントローラ３０は、複数の照明器具１０ａ〜１０ｌのうち管理アドレスを有しない２以上の照明器具である管理アドレスを設定する対象の照明器具（例えば１０ｆ、１０ｋ）に対して、これから記憶させる管理アドレスＦ、Ｋが複数の管理アドレスＡ〜Ｌの中で所定の順番を有するように、当該管理アドレスをそれぞれ記憶させた後、少なくとも照明器具１０ｆ、１０ｋを管理アドレスＦ、Ｋの順番に従って点灯させる。照明器具１０ｆ、１０ｋの点灯する位置の順序が所定順序であると指示された場合には、照明器具１０ｆ、１０ｋに対する管理アドレスの設定を終了し、上記順序が所定順序と異なるものと指示された場合には、照明器具１０ｆ、１０ｋに対して、現在の順番と異なる順番を有するように管理アドレスをそれぞれ書き換えさせる。【選択図】図６
2018185994.tif 000002
【特許請求の範囲】
【請求項１】
複数の照明器具のそれぞれに対応する複数の管理アドレスを用いて、前記複数の照明器具を管理するコントローラであって、
前記複数の照明器具のうち前記管理アドレスを有しない２以上の照明器具である管理アドレスを設定する対象の照明器具に対して、これから記憶させる管理アドレスが前記複数の管理アドレスの中で所定の順番を有するように、当該管理アドレスをそれぞれ記憶させた後、少なくとも前記管理アドレスを設定する対象の照明器具を含む照明器具を前記管理アドレスの順番に従って点灯させ、
前記管理アドレスを設定する対象の照明器具の点灯する位置の順序が所定順序であると指示された場合には、前記管理アドレスを設定する対象の照明器具に対する前記管理アドレスの設定を終了し、前記順序が所定順序と異なるものと指示された場合には、前記管理アドレスを設定する対象の照明器具に対して、現在の順番と異なる順番を有するように前記管理アドレスをそれぞれ書き換えさせる
コントローラ。
【請求項２】
前記管理アドレスを設定する対象の照明器具に対して、これから記憶させる管理アドレスを特定する場合に、
前記複数の照明器具が有する前記複数の管理アドレスのうち、前記コントローラからの返信要求に対する返信がなかった管理アドレスを、当該これから記憶させる管理アドレスとして特定する
請求項１に記載のコントローラ。
【請求項３】
前記管理アドレスを設定する対象の照明器具に記憶させる前記管理アドレスは、前記管理アドレスを設定する対象の照明器具のそれぞれによって生成される仮アドレスに対応して割り当てる
請求項１または２に記載のコントローラ。
【請求項４】
前記照明器具を点灯させる順番を示す前記管理アドレスの順列パターンを複数有し、複数の前記順列パターンのうち、１つの前記順列パターンに示された複数の前記管理アドレスを１対１対応で前記２以上の照明器具に記憶させる
請求項１〜３のいずれか１項に記載のコントローラ。
【請求項５】
請求項１〜４のいずれか１項に記載のコントローラと、
複数の照明器具と
を含む照明システム。
【請求項６】
複数の照明器具と、前記複数の照明器具を管理するコントローラとを備える照明システムのアドレス設定方法であって、
前記コントローラから前記複数の照明器具のそれぞれに返信要求を行い、
前記返信要求に対する返信がなかった２以上の前記照明器具にて仮アドレスをそれぞれ生成し、
前記仮アドレスを生成した２以上の前記照明器具から前記コントローラに、前記仮アドレスに対応する信号を送信し、
前記信号を受け取った前記コントローラは、前記仮アドレスに対応して、これから記憶させる管理アドレスが複数の前記管理アドレスの中で所定の順番を有するように、当該管理アドレスを前記仮アドレスを生成した２以上の前記照明器具に送り、
前記仮アドレスを生成した２以上の前記照明器具のそれぞれは、自身の前記仮アドレスと送信された前記管理アドレスとを対応づけて記憶し、
前記コントローラは、少なくとも前記２以上の照明器具を前記管理アドレスの順番に従って点灯させ、
前記仮アドレスを生成した２以上の照明器具の点灯する位置の順序が所定順序である場合は、前記２以上の照明器具に対する前記管理アドレスの設定を終了し、
前記順序が所定順序と異なる場合は、前記仮アドレスを生成した２以上の照明器具にて、現在の順番と異なる順番を有するように前記管理アドレスをそれぞれ書き換える
照明システムのアドレス設定方法。
【発明の詳細な説明】
【技術分野】
【０００１】
本発明は、複数の照明器具を管理するコントローラ、このコントローラと複数の照明器具とを備える照明システムおよび照明システムのアドレス設定方法に関する。
【背景技術】
【０００２】
従来、複数の照明器具を管理する照明システムが知られている（特許文献１参照）。この照明システムでは、複数の照明器具を個別に管理して制御するために、複数の照明器具のそれぞれに管理アドレスが付与される。
【先行技術文献】
【特許文献】
【０００３】
【特許文献１】特開２０１４−１１００７号公報
【発明の概要】
【発明が解決しようとする課題】
【０００４】
ところで、故障などの理由により照明器具を交換する際は、交換した照明器具に対して新たに管理アドレスを設定する必要がある。その場合、交換を行う作業者が、造営材（天井など）に取り付けられている照明器具と、照明器具の敷設図面とを見比べて、交換した照明器具が適切な管理アドレスを有するように設定しなおす必要がある。
【０００５】
しかしながら、作業者にとって、実際に取り付けられている照明器具と、照明器具の敷設図面とを見比べながらアドレス設定を行うことは、神経を使う作業となる。また、照明器具の外観はほぼ同じであり、場所によっては照明器具が等間隔に並んでいる場合もあるので、交換した照明器具に誤った管理アドレスを設定したり、交換した照明器具と異なる照明器具に誤った管理アドレスを設定したりすることもある。
【０００６】
そこで、本発明は、複数の照明器具のアドレスを適切に設定することができるコントローラ等を提供する。
【課題を解決するための手段】
【０００７】
本発明のコントローラの一態様は、複数の照明器具のそれぞれに対応する複数の管理アドレスを用いて、前記複数の照明器具を管理するコントローラであって、前記複数の照明器具のうち前記管理アドレスを有しない２以上の照明器具である管理アドレスを設定する対象の照明器具に対して、これから記憶させる管理アドレスが前記複数の管理アドレスの中で所定の順番を有するように、当該管理アドレスをそれぞれ記憶させた後、少なくとも前記管理アドレスを設定する対象の照明器具を含む照明器具を前記管理アドレスの順番に従って点灯させ、前記管理アドレスを設定する対象の照明器具の点灯する位置の順序が所定順序であると指示された場合には、前記管理アドレスを設定する対象の照明器具に対する前記管理アドレスの設定を終了し、前記順序が所定順序と異なるものと指示された場合には、前記管理アドレスを設定する対象の照明器具に対して、現在の順番と異なる順番を有するように前記管理アドレスをそれぞれ書き換えさせる。
【０００８】
本発明の照明システムの一態様は、上記コントローラと、複数の照明器具とを含む。
【０００９】
本発明の照明システムのアドレス設定方法の一態様は、複数の照明器具と、前記複数の照明器具を管理するコントローラとを備える照明システムのアドレス設定方法であって、前記コントローラから前記複数の照明器具のそれぞれに返信要求を行い、前記返信要求に対する返信がなかった２以上の前記照明器具にて仮アドレスをそれぞれ生成し、前記仮アドレスを生成した２以上の前記照明器具から前記コントローラに、前記仮アドレスに対応する信号を送信し、前記信号を受け取った前記コントローラは、前記仮アドレスに対応して、これから記憶させる管理アドレスが複数の前記管理アドレスの中で所定の順番を有するように、当該管理アドレスを前記仮アドレスを生成した２以上の前記照明器具に送り、前記仮アドレスを生成した２以上の前記照明器具のそれぞれは、自身の前記仮アドレスと送信された前記管理アドレスとを対応づけて記憶し、前記コントローラは、少なくとも前記２以上の照明器具を前記管理アドレスの順番に従って点灯させ、前記仮アドレスを生成した２以上の照明器具の点灯する位置の順序が所定順序である場合は、前記２以上の照明器具に対する前記管理アドレスの設定を終了し、前記順序が所定順序と異なる場合は、前記仮アドレスを生成した２以上の照明器具にて、現在の順番と異なる順番を有するように前記管理アドレスをそれぞれ書き換える。
【発明の効果】
【００１０】
複数の照明器具のアドレスを適切にまた容易に設定することができる。
【図面の簡単な説明】
【００１１】
【図１】実施の形態１に係る照明システムであって、照明システムが備える複数の照明器具、コントローラを示す概略図である。
【図２】実施の形態１に係る照明器具の制御構成を示すブロック図である。
【図３】実施の形態１に係るコントローラの制御構成を示すブロック図である。
【図４Ａ】操作端末の制御構成を示すブロック図である。
【図４Ｂ】操作端末の操作表示部を示す平面図である。
【図５】実施の形態１に係る照明システムのアドレス設定方法のフローを示す図である。
【図６】実施の形態１に係る照明システムにおいて、造営材に設置された照明器具の位置、交換した照明器具の仮アドレスおよび管理アドレスを示す図である。
【図７】実施の形態２に係る照明システムにおいて、交換した照明器具の仮アドレスおよび管理アドレスを示す図である。
【発明を実施するための形態】
【００１２】
以下、実施の形態に係るコントローラ、照明システムおよび照明システムのアドレス設定方法について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図は、模式図であり、必ずしも厳密に図示されたものではない。また、各図において、実質的に同一の構成に対しては同一の符号を付しており、重複する説明は省略または簡略化する。
【００１４】
（実施の形態１）
［１−１．照明システムの構成］
図１は、実施の形態１に係る照明システム１００を示す図である。
【００１５】
照明システム１００は、複数の照明器具１０ａ、１０ｂ、１０ｃ、１０ｄ、１０ｅ、１０ｆ、１０ｇ、１０ｈ、１０ｉ、１０ｊ、１０ｋ、１０ｌと、照明器具１０ａ〜１０ｌのそれぞれを制御するコントローラ３０とを備えている。通常、各照明器具１０ａ〜１０ｌには、各管理アドレスＡ〜Ｌが設定されている。各照明器具１０ａ〜１０ｌは、コントローラ３０から送られる信号に自身の管理アドレスＡ〜Ｌが含まれる場合に、この信号に含まれる制御情報に応じた動作を行う。
【００１６】
なお、図１では、一例として１２台の照明器具１０ａ〜１０ｌが示されているが、実際は、造営材（天井など）に１００台以上の照明器具が設置されていることがある。そのため、２台以上の照明器具を交換する際に、建物における照明器具の位置と照明器具の管理アドレスを対応づける作業に神経を使う。本実施の形態に係る照明システム１００およびコントローラ３０は、以下に示す構成を有することにより、照明器具を交換した場合であっても、適切また容易に照明器具に管理アドレスを設定することができる。
【００１７】
まず、図１を参照しながら、照明システム１００を構成する複数の照明器具１０ａ〜１０ｌおよびコントローラ３０の通信系統について説明する。また、コントローラ３０と操作端末２０との通信系統についても説明する。
【００１８】
複数の照明器具１０ａ〜１０ｌのそれぞれと、コントローラ３０とは、無線ｒ２により通信可能となっている。無線ｒ２による通信方式としては、例えば、９２０ＭＨｚ帯または２．４ＧＨｚ帯の周波数を利用した特定小電力無線、Zigbee（登録商標）、Bluetooth（登録商標）、または、ＷｉＦｉ（登録商標）などの方式が用いられる。なお、無線通信範囲内の照明器具１０ａ〜１０ｌの間でメッシュネットワークを形成し、このメッシュネットワークを経由して無線通信するようにしてもよい。また、照明器具１０ａ〜１０ｌ、および、コントローラ３０が有線ネットワークを形成し、互いに通信可能であってもよい。
【００１９】
コントローラ３０と操作端末２０とは、無線ｒ１により通信可能となっている。無線ｒ１による通信方式としては、無線ｒ２と同様の方式が用いられる。なお、コントローラ３０と操作端末２０とは、ＵＳＢなどの接続端子により有線で通信できるようになっていてもよい。
【００２０】
以下、照明システム１００を構成する照明器具１０ａ〜１０ｌ、コントローラ３０および操作端末２０についてそれぞれ説明する。本実施の形態では、２台の照明器具１０ｆ、１０ｋを新たな照明器具に交換した例を示す（図６の（ａ）参照）。
【００２１】
［１−２．照明器具］
照明器具１０ａ〜１０ｌは、例えば、ＬＥＤライトであり、住宅等の建物の造営材に設置される。本実施の形態では、建物の天井に４行３列で合計１２台の照明器具１０ａ〜１０ｌが配置されている。なお、照明器具１０ａ〜１０ｌは、ＬＥＤライトに限られず、シーリングライトであってもよい。
【００２２】
図２は、照明器具１０ａ〜１０ｌの制御構成を示すブロック図である。
【００２３】
照明器具１０ａ〜１０ｌは、光源１４、制御部１３、記憶部１６および通信部１１を備えている。
【００２４】
通信部１１は、アンテナおよび無線モジュールなどによって構成され、前述したようにコントローラ３０と通信可能となっている。
【００２５】
光源１４は、例えば、白色光、赤色光、緑色光または青色光を発する複数の発光ダイオードを含んでいる。本実施の形態においてアドレス設定をするにあたり、光源１４は、照明器具１０ａ〜１０ｌに割り当てられた管理アドレスＡ〜Ｌが正しいか否かを目視で確認するために、管理アドレスＡ〜Ｌの順番に従って明暗（点滅）制御される。
【００２６】
制御部１３は、ＣＰＵ（central  processing  unit）などによって構成される。制御部１３は、光源１４の作動状態を制御する。
【００２７】
制御部１３は、仮アドレスを生成するための乱数生成部１５を有している。仮アドレスは、管理アドレスを設定する対象である照明器具１０ｆ、１０ｋが所有する一時的なアドレスであり、管理アドレスが確定するまでの間、コントローラ３０と情報のやりとりを行うために用いられる。乱数生成部１５は、マイクロコンピュータを使って、例えば０〜１０２３の範囲の乱数を発生する。本実施の形態では、例えば、交換した照明器具１０ｆに対して仮アドレス０２を付け、照明器具１０ｋに対して仮アドレス０１を付けている（図６の（ｂ）参照）。なお、照明器具１０ｆ、１０ｋが所有する仮アドレスが重複しにくいように、照明器具１０ｆ、１０ｋのそれぞれの乱数生成部１５は、２つの乱数を生成してもよい。
【００２８】
記憶部１６は、ＲＡＭ（Random  Access  Memory）およびＲＯＭ（read  only  memory）などによって構成される。アドレス設定を行うに当たり、記憶部１６には前述した仮アドレスや管理アドレスＦ、Ｋが書き込まれ、また、読み出される。管理アドレスＡ〜Ｌは、例えば、ＵＤＩＤ（Unique  Device  IDentifier）などであり、照明器具１０ａ〜１０ｌの作動を制御するために用いられる。照明器具１０ｆ、１０ｋを交換した直後の段階、すなわち、アドレス設定前の段階では、記憶部１６は交換した照明器具１０ｆ、１０ｋの管理アドレスを記憶していない。新たに記憶させるべき管理アドレスは、コントローラ３０からの管理アドレスＦ、Ｋの書き込み指令（書き換え指令含む）に基づいて、記憶部１６に書き込まれる。
【００２９】
［１−３．コントローラ］
コントローラ３０は、照明器具１０ａ〜１０ｌの作動制御を行うための管理サーバである。コントローラ３０は、図１に示されるように、装置本体３０ａと、装置本体３０ａにケーブルで接続されたアンテナ３０ｂとを有している。アンテナ３０ｂは、照明器具の台数に応じて、建物内に複数設けられていてもよい。
【００３０】
コントローラ３０は、図３に示されるように、制御部３３、記憶部３６および通信部３４を備えている。制御部３３は、装置本体３０ａに内蔵されており、通信部３４は、アンテナ３０ｂに内蔵されている。
【００３１】
通信部３４は、照明器具１０ａ〜１０ｌと無線ｒ２で通信する部分である。アドレス設定を行うために、通信部３４は、交換された照明器具１０ｆ、１０ｋから仮アドレス０１、０２を受信し、また、交換された照明器具１０ｆ、１０ｋに管理アドレスＦ、Ｋを送信する。
【００３２】
制御部３３は、ＣＰＵなどによって構成される。制御部３３は、全体の照明器具１０ａ〜１０ｌの動作を管理制御する。制御部３３は、照明器具１０ｆ、１０ｋに対して管理アドレスＦ、Ｋを割り当てるアドレス割り当て部３７を有している。アドレス割り当て部３７は、照明器具１０ａ〜１０ｌに割り当てることのできる管理アドレスＡ〜Ｌの総数を予め把握している。そして、本実施の形態では、アドレス割り当て部３７は、交換された照明器具１０ｆ、１０ｋから送信された仮アドレス０１、０２に対応して所定の管理アドレスＦ、Ｋを割り当てる。具体的には、これから割り当てる管理アドレスＦ、Ｋが、他の照明器具の管理アドレスＡ〜Ｅ、Ｇ〜Ｊ、Ｌと重複しないように、また、全ての管理アドレスＡ〜Ｌの中において所定の順番を有するように、管理アドレスＦ、Ｋを割り当てる。
【００３３】
記憶部３６は、ＲＡＭおよびＲＯＭなどによって構成される。記憶部３６は、照明器具から送信された仮アドレス０１、０２と、アドレス割り当て部３７によって割り当てた管理アドレスＦ、Ｋとを対応づけて記憶する。本実施の形態では、割り当てた管理アドレスＦ、Ｋが最終的に確定（決定）するまで、仮アドレス０１、０２に対応する管理アドレスＦ、Ｋの書き換え等が行われる。
【００３４】
［１−４．操作端末］
図４Ａは、操作端末２０の制御構成を示すブロック図である。図４Ｂは、操作端末２０の表示操作部２２を示す平面図である。
【００３５】
操作端末２０は、例えば、タブレット端末やスマートフォンであり、アドレスを設定する際に設定作業者が使用する装置である。操作端末２０は、図４Ａに示されるように、制御部２３、表示操作部２２および通信部２４を備えている。
【００３６】
制御部２３は、ＣＰＵ、ＲＡＭおよびＲＯＭなどにより構成され、表示操作部２２、および通信部２４を制御する。通信部２４は、アンテナおよび無線モジュールなどにより構成され、前述したように、無線ｒ１を用いてコントローラ３０と通信可能になっている。表示操作部２２は、例えば、液晶モニターである。表示操作部２２には、図４Ｂに示されるように、「設定開始」、「アドレス変更」、「リトライ」、「アドレス決定」などのキーが設けられている。これらのキーは、操作ボタンを兼ねており、設定作業者がこれらのキーに触れることで所定の操作を行うことができる。
【００３７】
［１−５．アドレス設定］
次に、照明システム１００のアドレス設定方法について説明する。
【００３８】
図５は、照明システム１００のアドレス設定方法のフローを示す図である。図６は、建物に設置された照明器具１０ａ〜１０ｌの位置、交換した照明器具の仮アドレスおよび管理アドレスを示す図である。
【００３９】
図６の（ａ）は、照明器具１０ｆ、１０ｋを交換した直後の状態を示している。この状態では、照明器具１０ｆ、１０ｋには管理アドレスが記憶されていない。また、コントローラ３０は、どの照明器具が交換されたのかという情報を把握していないので、交換された照明器具１０ｆ、１０ｋを指定して通信を行うことができない。そこで、照明システム１００において、照明器具１０ｆ、１０ｋに管理アドレスを設定する準備を行う。
【００４０】
コントローラ３０は、例えば、操作端末２０の「設定開始」キーが押下されることによってアドレス設定の指示を受け、アドレス設定を開始する。アドレス設定をするにあたり、コントローラ３０は、交換された照明器具、および、これから記憶させる管理アドレスが何であるかを特定する。
【００４１】
まず、コントローラ３０は、照明器具１０ａ〜１０ｌに対して返信要求を行う（Ｓ１１）。返信要求は、例えば、管理アドレスＡ〜Ｌに対応するそれぞれの信号を、全ての照明器具１０ａ〜１０ｌに送信することで実行される。
【００４２】
この返信要求に対し、各管理アドレスＡ〜Ｅ、Ｇ〜Ｊ、Ｌを有する各照明器具１０ａ〜１０ｅ、１０ｇ〜１０ｊ、１０ｌは、自身の管理アドレスに対応する信号を受信してコントローラ３０に返信をする（Ｓ１２）。それに対し、交換した直後の照明器具１０ｆ、１０ｋは管理アドレスを有していないので、返信を行うことができない。これによって、コントローラ３０は、返信がなかった管理アドレスＦ、Ｋが今回のアドレス設定の対象であること、および、アドレスを設定すべき照明器具が２台存在することを把握する。
【００４３】
次に、コントローラ３０は、管理アドレスを有しておらず管理アドレスを設定する対象である照明器具１０ｆ、１０ｋに対して仮アドレス生成指令を送信する（Ｓ１３）。具体的には、コントローラ３０は、全ての照明器具１０ａ〜１０ｌに対して、仮アドレス生成指令を一斉に送信する。すでに管理アドレスを有している照明器具１０ａ〜１０ｅ、１０ｇ〜１０ｊ、１０ｌは、アドレスを設定しなおす必要がないので、この指令を無視するとともに自身のアドレス設定を維持する。それに対し、管理アドレスを有していない照明器具１０ｆ、１０ｋは、自身で仮アドレスを生成する（Ｓ１４）。
【００４４】
仮アドレスの生成によって、例えば、図６の（ｂ）に示すように、照明器具１０ｆの仮アドレスは「０２」、照明器具１０ｋの仮アドレスは「０１」と設定される。なお、前述したように、照明器具１０ｆ、１０ｋの仮アドレス０２、０１は、それぞれの制御部１３の乱数生成部１５を用いて生成される。
【００４５】
次に、仮アドレスが設定された照明器具１０ｆ、１０ｋに対し、コントローラ３０から仮アドレスの問い合わせを行う（Ｓ１５）。具体的には、コントローラ３０から所定カウント数からなる同期信号を照明器具１０ａ〜１０ｌに向けて送信する。すでに管理アドレスを有している照明器具１０ａ〜１０ｅ、１０ｇ〜１０ｊ、１０ｌは、この同期信号を無視する。それに対し、仮アドレスを有する照明器具１０ｆ、１０ｋは、所定カウント数と自身の仮アドレスの数とが一致する場合に、所定カウント数の同期信号を受け取ったタイミングで返信を行う（Ｓ１６）。例えば、照明器具１０ｆの仮アドレスは「０２」、照明器具１０ｋの仮アドレスは「０１」なので、コントローラ３０は、照明器具１０ｋからの返信を先に、照明器具１０ｆからの返信をその後に受信する。
【００４６】
次に、コントローラ３０は、仮アドレスの順番に対応して管理アドレスを割り当て、保存する（Ｓ１７）。例えば、先に返信を受け取った仮アドレス０１に管理アドレスＦを割り当て、後に返信を受け取った仮アドレス０２に管理アドレスＫを割り当てる。管理アドレスを割り当てる際は、これから割り当てる（記憶させる）管理アドレスＦ、Ｋが、複数の管理アドレスＡ〜Ｌの中で所定の順番を有するように、かつ、すでに設定された管理アドレスＡ〜Ｅ、Ｇ〜Ｊ、Ｌと重複しないように割り当てられる。本実施の形態では、先に返信を受けった仮アドレス０１に対して、管理アドレスＦ、Ｋ（未設定である管理アドレス）のうち、先の順番のアルファベットである管理アドレスＦを割り当てている。
【００４７】
次に、コントローラ３０は、仮アドレス０１対応して割り当てた管理アドレスＦを照明器具１０ｋに送信し、仮アドレス０２に対応して割り当てた管理アドレスＫを照明器具１０ｆに送信し、それぞれ書き込ませる（Ｓ１８）。なお、照明器具１０ｆ、１０ｋのそれぞれには仮アドレス０２、０１が設定されているので、コントローラ３０は、この仮アドレス０２、０１を用いて照明器具１０ｆ、１０ｋに対して指令を出すことができる。
【００４８】
次に、図６の（ｃ）に示すように、コントローラ３０から書き込み指令を受信した照明器具１０ｋは、管理アドレスＦを自身の記憶部１６に書き込み、同様に照明器具１０ｆは、管理アドレスＫを自身の記憶部１６に書き込む（Ｓ１９）。ただし、この時点では、照明器具１０ｆ、１０ｋのそれぞれに書き込まれた管理アドレスＫ、Ｆが、適切な順番の管理アドレスであるかはわからない。
【００４９】
そこで、割り当てた管理アドレスＫ、Ｆが正しいか否かを確認する。具体的には、コントローラ３０は、複数の照明器具１０ａ〜１０ｌを管理アドレスＡ〜Ｌの順番に従って点灯させる点灯指令を送信する（Ｓ２０）。点灯指令を受け取った照明器具１０ａ〜１０ｌは、書き込まれた管理アドレスＡ〜Ｌの順番に従って点滅して点灯する（Ｓ２１）。例えば、この点灯は、各照明器具１０ａ〜１０ｌを５秒おきに順に遷移して点灯することで実行される。
【００５０】
管理アドレスＡ〜Ｌの割り当てが正しい場合は、各照明器具１０ａ〜１０ｌは、行列状に配置された照明器具１０ａ〜１０ｌの行並び方向および列並び方向に沿った所定順序（例えば、１０ａ〜１０ｌの順序）で点灯する。
【００５１】
それに対し、例えば図６の（ｃ）の場合、管理アドレスＡ〜Ｅまでは照明器具１０ａ〜１０ｅが所定順序で点灯するが、管理アドレスＦに点灯指令が出されると、所定順序と異なる位置、具体的には本来点灯する照明器具１０ｆから離れて位置する照明器具１０ｋが点灯する。すなわち、照明器具１０ａ〜１０ｌの点灯する順序が、所定順序と異なって点灯される。
【００５２】
するとアドレスの設定を行う設定作業者は、先ほど割り当てた管理アドレスＫ、Ｆの順番が誤りであることに気づき、操作端末２０の「アドレス変更」キーを押下する。操作端末２０の「アドレス変更」キーが押されることで、コントローラ３０は、点灯順序が正しくないと判断し（Ｓ２２のＮｏ）、ステップＳ１７に戻って管理アドレスＦ、Ｋの再割り当てを行う（Ｓ１７）。具体的には、先に割り当てた管理アドレスＦ、Ｋを交換し、仮アドレス０１に管理アドレスＫを割り当て、仮アドレス０２に管理アドレスＦを割り当てる。
【００５３】
そして再び、コントローラ３０は、仮アドレス０１に対応して割り当てた管理アドレスＫを照明器具１０ｋに送信して書き込ませ、仮アドレス０２に対応して割り当てた管理アドレスＦを照明器具１０ｆに送信して書き込ませる（Ｓ１８）。また、書き込み指令を受信した照明器具１０ｋは、管理アドレスＫを自身の記憶部１６に書き込み、同様に照明器具１０ｆは、管理アドレスＦを自身の記憶部１６に書き込む（Ｓ１９）。
【００５４】
次に、割り当てた管理アドレスＦ、Ｋが正しいか否かを確認する。具体的には、コントローラ３０は、複数の照明器具１０ａ〜１０ｌを管理アドレスＡ〜Ｌの順番に従って点灯させる点灯指令を送信し（Ｓ２０）、点灯指令を受け取った照明器具１０ａ〜１０ｌは、書き込まれた管理アドレスＡ〜Ｌの順番に従って点灯する（Ｓ２１）。
【００５５】
照明器具１０ａ〜１０ｌの点灯する位置の順序が所定順序である場合、割り当てられた管理アドレスが正しいと判断することができる。正しいと判断した設定作業者は、操作端末２０の「アドレス決定」キーを押下し、管理アドレスの設定を終了する（Ｓ２２のＹｅｓ）。管理アドレスＦ、Ｋが確定することで、仮アドレス０１、０２は必要なくなるので、図６の（ｄ）に示すように、各照明器具１０ｆ、１０ｋの仮アドレス０１、０２は消去される。なお、照明器具１０ａ〜１０ｌが点灯する順序をもう一度確認したい場合は、操作端末２０の「リトライ」キーを押下すればよい。
【００５６】
これらのステップにより、アドレスを設定する作業者は、照明器具１０ａ〜１０ｌの敷設図面を参照しなくても、照明器具１０ａ〜１０ｌが点灯する順番を見るだけで、照明器具１０ｆ、１０ｋに割り当てたアドレスが正しいか否かを容易に判断することができる。これにより、照明システム１００において複数の照明器具１０ａ〜１０ｌのアドレスを適切にまた容易に設定することができる。
【００５７】
［１−６．効果等」
本実施の形態に係るコントローラ３０は、複数の照明器具１０ａ〜１０ｌのそれぞれに対応する複数の管理アドレスＡ〜Ｌを用いて、複数の照明器具１０ａ〜１０ｌを管理するコントローラ３０であって、複数の照明器具１０ａ〜１０ｌのうち管理アドレスを有しない２以上の照明器具である管理アドレスを設定する対象の照明器具（例えば１０ｆ、１０ｋ）に対して、これから記憶させる管理アドレスＦ、Ｋが複数の管理アドレスＡ〜Ｌの中で所定の順番を有するように、当該管理アドレスをそれぞれ記憶させた後、少なくとも管理アドレスを設定する対象の照明器具１０ｆ、１０ｋを含む照明器具１０ａ〜１０ｌを管理アドレスＦ、Ｋの順番に従って点灯させる。そして、管理アドレスを設定する対象の照明器具１０ｆ、１０ｋの点灯する位置の順序が所定順序であると指示された場合には、管理アドレスを設定する対象の照明器具１０ｆ、１０ｋに対する管理アドレスの設定を終了し、上記順序が所定順序と異なるものと指示された場合には、管理アドレスを設定する対象の照明器具１０ｆ、１０ｋに対して、現在の順番と異なる順番を有するように管理アドレスをそれぞれ書き換えさせる。
【００５８】
このように、管理アドレスを設定する対象の照明器具１０ｆ、１０ｋに管理アドレスを記憶させた後、照明器具１０ｆ、１０ｋを管理アドレスＦ、Ｋの順番に従って点灯させ、点灯する位置の順序を確認することで、照明器具１０ｆ、１０ｋに対して適切にまた容易にアドレス設定を行うことができる。
【００５９】
また、管理アドレスを設定する対象の照明器具に対して、これから記憶させる管理アドレスを特定する場合に、複数の照明器具１０ａ〜１０ｌが有する複数の管理アドレスＡ〜Ｌのうち、コントローラ３０からの返信要求に対する返信がなかった管理アドレスＦ、Ｋを、当該これから記憶させる管理アドレスとして特定してもよい。
【００６０】
これによれば、例えば、照明器具を新しく交換することで未設定となった管理アドレスを、適切また容易に抽出することができる。
【００６１】
また、管理アドレスを設定する対象の照明器具１０ｆ、１０ｋに記憶させる管理アドレスＦ、Ｋは、管理アドレスを設定する対象の照明器具１０ｆ、１０ｋのそれぞれによって生成される仮アドレス（例えば０１、０２）に対応して割り当ててもよい。
【００６２】
これによれば、管理アドレスを設定する対象の照明器具１０ｆ、１０ｋが管理アドレスを所有していなくても、仮アドレス０１、０２を用いて、管理アドレスの割り当てを行うことが可能となる。
【００６３】
また、本発明の照明システム１００は、上記コントローラ３０と、複数の照明器具１０ａ〜１０ｌとを含む。
【００６４】
照明システム１００が上記コントローラ３０を含むことで、管理アドレスを有していない照明器具１０ｆ、１０ｋに管理アドレスを記憶させた後、照明器具１０ｆ、１０ｋを管理アドレスＦ、Ｋの順番に従って点灯させ、点灯する位置の順序を確認することで、照明器具１０ｆ、１０ｋに対して適切にまた容易にアドレス設定を行うことができる。
【００６５】
また、本発明の照明システム１００のアドレス設定方法は、複数の照明器具１０ａ〜１０ｌと、複数の照明器具１０ａ〜１０ｌを管理するコントローラ３０とを備える照明システム１００のアドレス設定方法であって、コントローラ３０から複数の照明器具１０ａ〜１０ｌのそれぞれに返信要求を行い、返信要求に対する返信がなかった２以上の照明器具（例えば１０ｆ、１０ｋ）にて仮アドレス（例えば０１、０２）をそれぞれ生成し、仮アドレスを生成した２以上の照明器具１０ｆ、１０ｋからコントローラ３０に、仮アドレスに対応する信号を送信し、信号を受け取ったコントローラ３０は、仮アドレス０１、０２に対応して、これから記憶させる管理アドレスＦ、Ｋが複数の管理アドレスＡ〜Ｌの中で所定の順番を有するように、当該管理アドレスを、仮アドレスを生成した２以上の照明器具１０ｆ、１０ｋに送り、仮アドレスを生成した２以上の照明器具１０ｆ、１０ｋのそれぞれは、自身の仮アドレス０１、０２と送信された管理アドレスＦ、Ｋとを対応づけて記憶し、コントローラ３０は、少なくとも２以上の照明器具１０ｆ、１０ｋを管理アドレスＦ、Ｋの順番に従って点灯させ、仮アドレスを生成した２以上の照明器具１０ｆ、１０ｋの点灯する位置の順序が所定順序である場合は、仮アドレスを生成した２以上の照明器具１０ｆ、１０ｋに対する管理アドレスＦ、Ｋの設定を終了し、順序が所定順序と異なる場合は、２以上の照明器具１０ｆ、１０ｋにて、現在の順番と異なる順番を有するように管理アドレスＦ、Ｋをそれぞれ書き換える。
【００６６】
このように、管理アドレスを有しておらず管理アドレスを設定する対象の照明器具１０ｆ、１０ｋに管理アドレスＦ、Ｋを記憶させた後、照明器具１０ｆ、１０ｋを管理アドレスＦ、Ｋの順番に従って点灯させ、点灯する位置の順序を確認することで、照明器具１０ｆ、１０ｋに対して適切にまた容易にアドレス設定を行うことができる。
【００６７】
（実施の形態２）
次に、実施の形態２に係る照明システム１００のアドレス設定方法について説明する。実施の形態２に係る照明システム１００では、新しく交換した照明器具が３台である場合について説明する。
【００６８】
図７は、交換した３台の照明器具１０ｅ、１０ｆ、１０ｋの仮アドレスおよび管理アドレスを示す図である。図７の（ａ）は、図６の（ａ）と同様に照明器具１０ｅ、１０ｆ、１０ｋを交換した直後の状態である。図７の（ｂ）は、図６の（ｂ）と同様に仮アドレス０３、０２、０１を生成した状態である。図７の（ｃ）は、図６の（ｃ）と同様に管理アドレスＫ、Ｆ、Ｅを記憶した状態である。図７の（ｄ）は、図６の（ｄ）と同様に管理アドレスＥ、Ｆ、Ｋを決定した状態を示す図である。なお、照明器具１０ａ〜１０ｌの配置は実施の形態１と同様であり、図示を省略する。
【００６９】
図７の（ｂ）に示すように、実施の形態２のアドレス設定方法では、図５に示すＳ１７において、照明器具１０ｅ、１０ｆ、１０ｋから３つの仮アドレス０３、０２、０１に対応する信号が返信される。
【００７０】
そして、コントローラ３０は、３つの仮アドレスに対応して管理アドレスを割り当て、保存する（Ｓ１７）。具体的には、コントローラ３０は、図７の（ｃ）に示すように、照明器具１０ｅ、１０ｆ、１０ｋを点灯させる順番を示す６通りの順列パターンＰ１、Ｐ２、Ｐ３、Ｐ４、Ｐ５、Ｐ６を作成する。例えば、順列パターンＰ１では、仮アドレス０３、０２、０１のそれぞれに対応して管理アドレスＫ、Ｆ、Ｅが割り当てられている。
【００７１】
次に、コントローラ３０は、順列パターンＰ１〜Ｐ６のうち所定の順列パターンＰ１を選択し、仮アドレス０１に対応する管理アドレスＥを照明器具１０ｋに送信し、仮アドレス０２に対応する管理アドレスＦを照明器具１０ｆに送信し、仮アドレス０３に対応する管理アドレスＫを照明器具１０ｅに送信し、それぞれ書き込ませる（Ｓ１８）。
【００７２】
次に、図７の（ｃ）に示すように、コントローラ３０からの書き込み指令を受信した照明器具１０ｋは管理アドレスＥを、照明器具１０ｆは管理アドレスＦを、照明器具１０ｅは管理アドレスＫを、自身の記憶部１６にそれぞれ書き込む（Ｓ１９）。
【００７３】
そこで、割り当てた管理アドレスＫ、Ｆ、Ｅが正しいか否かを、実施の形態１と同様に確認する（Ｓ２０、Ｓ２１）。
【００７４】
コントローラ３０は、点灯順序が正しくないと判断した場合（Ｓ２２のＮｏ）、ステップＳ１７に戻って管理アドレスＫ、Ｆ、Ｅの再割り当てを行う（Ｓ１７参照）。例えば、順列パターンＰ１〜Ｐ６のうち順列パターンＰ２を選択して、順列パターンＰ２に示された管理アドレスＫ、Ｅ、Ｆを照明器具１０ｅ、１０ｆ、１０ｋに書き込む。そして、割り当てた管理アドレスＫ、Ｅ、Ｆが正しいか否かを確認し（Ｓ２０、Ｓ２１）、点灯順序が正しくなるまでこれらを繰り返す。
【００７５】
コントローラ３０は、照明器具１０ａ〜１０ｌの点灯する位置の順序が所定順序である場合、割り当てられた管理アドレスが正しいと判断し、管理アドレスの設定を終了する（Ｓ２２のＹｅｓ）。
【００７６】
このように、本実施の形態では、管理アドレスを設定する対象の照明器具１０ｅ、１０ｆ、１０ｋに管理アドレスＥ、Ｆ、Ｋを記憶させた後、照明器具１０ｅ、１０ｆ、１０ｋを管理アドレスＥ、Ｆ、Ｋの順番に従って点灯させ、点灯する位置の順序を確認している。これにより、照明器具１０ｅ、１０ｆ、１０ｋに対して適切にまた容易にアドレス設定を行うことができる。
【００７７】
また、本実施の形態のコントローラ３０は、３台の照明器具（例えば１０ｅ、１０ｆ、１０ｋ）を点灯させる順番を示す管理アドレスの順列パターン（例えばＰ１〜Ｐ６）を複数有し、複数の順列パターンのうち、１つの順列パターンに示された複数の管理アドレス（例えばＥ、Ｆ、Ｋ）を１対１対応で３台の照明器具１０ｅ、１０ｆ、１０ｋに記憶させている。
【００７８】
これによれば、３台の照明器具１０ｅ、１０ｆ、１０ｋに対して、適切にまた効率的に管理アドレスＥ、Ｆ、Ｋの設定を行うことができる。なお、アドレス設定を行う照明器具は３台に限られず、２台であってもよいし、４台以上であってもよい。照明器具が２台の場合は、２つの順列パターンを準備してその中から１つの順列パターンに示された管理アドレスを２台の照明器具に記憶させ、照明器具がｎ台である場合は、ｎ！に相当する順列パターンを準備してその中から１つの順列パターンに示された管理アドレスをｎ台の照明器具に記憶させればよい。
【００７９】
（その他の形態）
以上、コントローラ３０、照明システム１００および照明システム１００のアドレス設定方法について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【００８０】
例えば、実施の形態１では、点灯する位置の順序が違っていると判断した時点で「アドレス変更」キーを押して管理アドレスの再割り当てを行っているが、それに限られず、点灯する位置の順序が違っていると判断しても最後まで照明器具を点灯させ、その後、「アドレス変更」キーを押して管理アドレスの再割り当てを行ってもよい。
【００８１】
例えば、実施の形態１では、管理アドレスの順番に従って全ての照明器具１０ａ〜１０ｌを順番に点灯させているが、それに限られず、点灯させる照明器具は、交換した２台の照明器具１０ｆ、１０ｋすなわち新たに管理アドレスを記憶させられた２台の照明器具１０ｆ、１０ｋであってもよい。また、点灯させる照明器具は、交換した２台の照明器具１０ｆ、１０ｋに限られず、交換した２台の照明器具１０ｆ、１０ｋを含む２以上の照明器具であってもよい。具体的には、照明器具１０ｆ、１０ｋのうち先の順番である照明器具１０ｆ以降の照明器具を点灯させ、管理アドレスの確認を行ってもよい。この方法によれば、管理アドレスの確認のための照明器具の点灯時間を短縮することができる。なお、全ての照明器具１０ａ〜１０ｌを点灯させるのでなく、一部の照明器具１０ｆ、１０ｋを点灯させる場合であっても、設定作業者から見てどちらが手前か奥かを見分けることができるので、点灯の順番が正しいか否かを判断することが可能である。
【符号の説明】
【００８２】
１０ａ、１０ｂ、１０ｃ、１０ｄ、１０ｅ、１０ｆ、１０ｇ、１０ｈ、１０ｉ、１０ｊ、１０ｋ、１０ｌ  照明器具
２０    操作端末
３０    コントローラ
１００  照明システム
０１、０２、０３  仮アドレス
Ａ、Ｂ、Ｃ、Ｄ、Ｅ、Ｆ、Ｇ、Ｈ、Ｉ、Ｊ、Ｋ、Ｌ  管理アドレス
Ｐ１、Ｐ２、Ｐ３、Ｐ４、Ｐ５、Ｐ６  順列パターン
【図１】
2018185994.tif 000003
【図２】
2018185994.tif 000004
【図３】
2018185994.tif 000005
【図４Ａ】
2018185994.tif 000006
【図４Ｂ】
2018185994.tif 000007
【図５】
2018185994.tif 000008
【図６】
2018185994.tif 000009
【図７】
2018185994.tif 000010